(57)【要約】【課題】電磁界の向きによらず、外来ノイズによる誤動作を抑制し、且つ、従来よりも体格を小型化できる電子回路装置を提供する。【解決手段】電子回路装置（１００）は、外部接続端子（１０）と、外部接続端子のそれぞれに接続された配線（２０，２２，２４）と、配線を介して外部接続端子と電気的に接続され、所定処理を実行する処理部（２８）を備える。さらに、異なる外部接続端子に接続された配線間に配置され、所定のインピーダンスを有する抵抗素子（６２）と周波数に応じてインピーダンスが変化するインピーダンス素子（６４，７４，７６）が、配線間において直列接続されてなるノイズ検出部（３２）と、抵抗素子とインピーダンス素子の接続点（６６）の電位に基づいて、ノイズ検出部が接続された配線の信号にノイズが重畳しているか否かを判定するノイズ判定部（３４）を備える。処理部は、ノイズ判定部の判定結果に基づいて、所定処理を実行する。【選択図】図１０
2014135610.tif 000002
【特許請求の範囲】
【請求項１】
電源端子（１２）と、グランド端子（１４）と、入力端子（１６）及び出力端子（１８）の少なくとも一方とを有する外部接続端子（１０）と、
前記外部接続端子のそれぞれに接続された配線（２０，２２，２４）と、
前記配線を介して前記外部接続端子と電気的に接続され、所定処理を実行する処理部（２８）と、を備える電子回路装置であって、
異なる前記外部接続端子に接続された配線間に配置され、所定のインピーダンスを有する抵抗素子（６２）と周波数に応じてインピーダンスが変化するインピーダンス素子（６４，７６，７８）が、前記配線間において直列接続されてなるノイズ検出部（３２）と、
前記抵抗素子と前記インピーダンス素子の接続点（６６）の電位に基づいて、前記ノイズ検出部が接続された前記配線の信号にノイズが重畳しているか否かを判定し、判定結果を示す信号を出力するノイズ判定部（３４）と、をさらに備え、
前記処理部は、前記ノイズ判定部の判定結果に基づいて、前記所定処理を実行することを特徴とする電子回路装置。
【請求項２】
前記インピーダンス素子は、コンデンサ（６４）であることを特徴とする請求項１に記載の電子回路装置。
【請求項３】
前記コンデンサ（６４）の自己共振周波数は、前記ノイズの周波数よりも高いことを特徴とする請求項２に記載の電子回路装置。
【請求項４】
前記インピーダンス素子は、インダクタ（７６）であることを特徴とする請求項１に記載の電子回路装置。
【請求項５】
前記インダクタ（７６）の自己共振周波数は、前記ノイズの周波数よりも高いことを特徴とする請求項４に記載の電子回路装置。
【請求項６】
前記インピーダンス素子は、ダイオード（７８）であることを特徴とする請求項１に記載の電子回路装置。
【請求項７】
前記インピーダンス素子は、同一種類であって自己共振周波数が互いに異なる複数の素子（６４ａ，６４ｂ）が並列接続されてなることを特徴とする請求項２〜５いずれか１項に記載の電子回路装置。
【請求項８】
物理量を検出するものであり、前記ノイズ検出部（３２）が配置された前記配線（２２，２４）の少なくとも一方と電気的に接続された物理量検出部（３６）と、
前記物理量検出部の検出信号に基づいて、異常が生じているか否かを判定し、判定結果を示す信号を出力する異常判定部（３８）と、をさらに備え、
前記処理部（２８）は、
前記異常判定部による判定結果を加味して前記所定処理を実行し、
前記異常判定部により異常が生じていると判定され、且つ、前記ノイズ判定部（３４）によりノイズが重畳していないと判定された場合に、異常時の処理を実行し、
前記異常判定部により異常が生じていると判定され、且つ、前記ノイズ判定部によりノイズが重畳していると判定された場合に、正常時の処理を実行することを特徴とする請求項１〜７いずれか１項に記載の電子回路装置。
【発明の詳細な説明】
【技術分野】
【０００１】
本発明は、外部接続端子と、外部接続端子のそれぞれに接続された配線と、配線を介して外部接続端子と電気的に接続され、所定処理を実行する処理部と、を備える電子回路装置に関するものである。
【背景技術】
【０００２】
従来、外部接続端子と、外部接続端子のそれぞれに接続された配線と、配線を介して外部接続端子と電気的に接続され、所定処理を実行する処理部と、を備える電子回路装置が知られている。
【０００３】
このような電子回路装置では、例えば外部接続端子に接続されたハーネスにおいて外来ノイズが重畳し、処理部が誤動作するという問題がある。
【０００４】
これに対し、例えば特許文献１に記載されたように、電磁誘導作用によるノイズ検出用のコイルを備えた構成とすれば、上記した電子回路装置において、外来ノイズを検出することもできる。そして、誤動作しないように制御することもできる。
【先行技術文献】
【特許文献】
【０００５】
【特許文献１】特開２００２−７６８７１号公報
【発明の概要】
【発明が解決しようとする課題】
【０００６】
しかしながら、上記コイルでは、コイルに直接照射された外来ノイズを検出する。詳しくは、コイルに対して鎖交する磁束の変化を検出するため、電磁界の向きによっては感度が低下してしまう。
【０００７】
また、このような電磁誘導作用によるノイズ検出用のコイルは、体格も大きく、これにより、電子回路装置の体格を小型化するのが困難である。
【０００８】
そこで、本発明は上記問題点に鑑み、電磁界の向きによらず、外来ノイズによる誤動作を抑制し、且つ、従来よりも体格を小型化できる電子回路装置を提供することを目的とする。
【課題を解決するための手段】
【０００９】
上記目的を達成するために、本発明に係る電子回路装置は、電源端子（１２）と、グランド端子（１４）と、入力端子（１６）及び出力端子（１８）の少なくとも一方とを有する外部接続端子（１０）と、外部接続端子のそれぞれに接続された配線（２０，２２，２４）と、配線を介して外部接続端子と電気的に接続され、所定処理を実行する処理部（２８）と、を備える。そして、異なる外部接続端子に接続された配線間に配置され、所定のインピーダンスを有する抵抗素子（６２）と周波数に応じてインピーダンスが変化するインピーダンス素子（６４，７６，７８）が、配線間において直列接続されてなるノイズ検出部（３２）と、抵抗素子とインピーダンス素子の接続点（６６）の電位に基づいて、ノイズ検出部が接続された配線の信号にノイズが重畳しているか否かを判定し、判定結果を示す信号を出力するノイズ判定部（３４）と、をさらに備え、処理部は、ノイズ判定部の判定結果に基づいて、所定処理を実行することを特徴とする。
【００１０】
これによれば、ノイズ検出部（３２）が接続された配線（２０，２２，２４）の信号に、外部接続端子（１０）を介してノイズが重畳すると、重畳したノイズの周波数に応じて、インピーダンス素子（６４，７６，７８）のインピーダンスが変化する。そして、ノイズ判定部（３４）により、ノイズが重畳していると判定することができる。このように、本発明によれば、電磁界の向きによらず、ノイズによる誤動作を抑制することができる。
【００１１】
また、従来のように、電磁誘導作用によるノイズ検出用のコイルを必要としないので、従来よりも体格を小型化することができる。
【００１２】
また、本発明のさらなる特徴は、インピーダンス素子がコンデンサ（６４）であることにある。これによれば、他のインピーダンス素子に較べて、コストを低減でき、体格も小型化することができる。また、周波数特性のラインナップが多彩であり、ノイズの周波数に合うものを選択しやすい。
【００１３】
また、本発明のさらなる特徴は、コンデンサ（６４）の自己共振周波数が、ノイズの周波数よりも高いことにある。これによれば、自己共振周波数よりも周波数の低い領域、すなわちコンデンサとしての機能が支配的な領域、でノイズを検出するので、より精度良くノイズを検出することができる。
【００１４】
また、本発明のさらなる特徴は、インピーダンス素子が、同一種類であって自己共振周波数が互いに異なる複数の素子（６４ａ，６４ｂ）が並列接続されてなることにある。
【００１５】
これによれば、ノイズの検出範囲（周波数域）を広くすることができる。これにより、周波数の異なる多様なノイズを検出することができる。
【００１６】
また、本発明のさらなる特徴は、物理量を検出するものであり、ノイズ検出部（３２）が配置された配線（２２，２４）の少なくとも一方と電気的に接続された物理量検出部（３６）と、物理量検出部の検出信号に基づいて、異常が生じているか否かを判定し、判定結果を示す信号を出力する異常判定部（３８）と、をさらに備え、処理部（２８）は、異常判定部による判定結果を加味して所定処理を実行し、異常判定部により異常が生じていると判定され、且つ、ノイズ判定部（３４）によりノイズが重畳していないと判定された場合に、異常時の処理を実行し、異常判定部により異常が生じていると判定され、且つ、ノイズ判定部によりノイズが重畳していると判定された場合に、正常時の処理を実行することにある。
【００１７】
これによれば、ノイズが重畳することで異常判定部が異常と判定した場合には、異常時の処理を行わないようにすることができる。
【図面の簡単な説明】
【００１８】
【図１】第１実施形態に係る電子回路装置の要部を示す図である。
【図２】コンデンサの周波数特性を示す図である。
【図３】各種信号のタイミングチャートである。
【図４】インピーダンス素子の第１変形例を示す図である。
【図５】インダクタの周波数特性を示す図である。
【図６】インピーダンス素子の第２変形例を示す図である。
【図７】ダイオードの周波数特性を示す図である。
【図８】第２実施形態に係る電子回路装置において、ノイズ検出部の構成を示す図である。
【図９】インピーダンス素子の周波数特性を示す図である。
【図１０】第３実施形態に係る電子回路装置の要部を示す図である。
【図１１】温度センサ及び異常判定部を示す図である。
【図１２】各種信号のタイミングチャートである。
【発明を実施するための形態】
【００１９】
以下、本発明の実施の形態を、図面を参照して説明する。なお、以下に示す各実施形態において、共通乃至関連する要素には同一の符号を付与するものとする。なお、図１、図１０、図１１では、一部素子の接続先を簡略化して図示している。
【００２０】
（第１実施形態）
図１に示す電子回路装置１００は、負荷の駆動状態を制御するパワー系のスイッチング素子６０と、該スイッチング素子６０のゲートに駆動信号を与ええるゲート駆動回路と、を有している。本実施形態では、スイッチング素子６０として、Ｎチャネル型のＭＯＳＦＥＴを採用している。
【００２１】
電子回路装置１００は、外部接続端子１０として、電源端子１２、グランド端子１４、入力端子１６、及び出力端子１８を備えている。各外部接続端子１０は、ハーネスを介して、直流電源（バッテリ）、負荷、他の回路などと接続されている。なお、図１では、便宜上、グランド端子１４に接続されたハーネス７４のみを図示している。また、電源端子１２には、電源配線２０が接続されており、グランド端子１４には、グランド配線２２が接続されている。また、入力端子１６には、入力配線２４が接続されている。この電源配線２０、グランド配線２２、入力配線２４が、特許請求の範囲に記載の配線に相当する。
【００２２】
また、電子回路装置１００は、入力回路部２６、論理回路部２８、出力回路部３０、ノイズ検出部３２、ノイズ判定部３４を有している。
【００２３】
入力回路部２６は、入力端子１６から入力された信号を処理する部分である。本実施形態では、図１に示すように、入力回路部２６が、抵抗４０、ｎｐｎ型のバイポーラトランジスタ４２、ｐｎｐ型のバイポーラトランジスタ４４、及び抵抗４６を有している。
【００２４】
電源配線２０とグランド配線２２との間に、抵抗４０を電源配線２０側として、抵抗４０とバイポーラトランジスタ４２が直列に接続されている。バイポーラトランジスタ４２のベースには入力配線２４が接続され、コレクタには抵抗４０が接続されており、エミッタはグランド配線２２と電気的に接続されている。
【００２５】
また、電源配線２０とグランド配線２２との間に、抵抗４６をグランド配線２２側として、バイポーラトランジスタ４４と抵抗４６が直列に接続されている。バイポーラトランジスタ４４のベースは、抵抗４０及びバイポーラトランジスタ４２の接続点と接続され、コレクタは抵抗４６と接続されており、エミッタは電源配線２０と電気的に接続されている。
【００２６】
例えば駆動信号として、ハイレベルの信号が入力端子１６を介して入力されると、バイポーラトランジスタ４２はオン状態となり、これにともなって、バイポーラトランジスタ４４もオン状態となる。一方、ハイレベルの信号よりも電位レベルの低いローレベルの信号が入力端子１６を介して入力されると、バイポーラトランジスタ４２はオフ状態となり、これにともなって、バイポーラトランジスタ４４もオフ状態となる。したがって、入力回路部２６は、バイポーラトランジスタ４２，４４のオン期間において、ハイレベル「１」の信号を出力し、バイポーラトランジスタ４２，４４のオフ期間において、ローレベル「０」の信号を出力する。
【００２７】
論理回路部２８は、ＡＮＤゲート４８と、ＮＯＴゲート５０を有する。ＡＮＤゲート４８の入力端子の一方は、バイポーラトランジスタ４４と抵抗４６の接続点と接続され、他方の入力端子は、ＮＯＴゲート５０の出力端子と接続されている。また、ＮＯＴゲート５０の入力端子は、ノイズ判定部３４の出力端子と接続されている。この論理回路部２８が、特許請求の範囲に記載の処理部に相当する。
【００２８】
この論理回路部２８は、入力回路部２６の出力がハイレベル「１」であり、且つ、ノイズ判定部３４の出力がローレベル「０」の場合にのみ、ハイレベル「１」の信号を出力する。一方、入力回路部２６の出力がハイレベル「１」であり、且つ、ノイズ判定部３４の出力がハイレベル「１」の場合には、ローレベル「０」の信号を出力する。また、入力回路部２６の出力がローレベル「０」の場合にも、ローレベル「０」の信号を出力する。
【００２９】
出力回路部３０は、上記したスイッチング素子６０とともに、抵抗５２，５８、ｎｐｎ型のバイポーラトランジスタ５４、ｐｎｐ型のバイポーラトランジスタ５６を有している。電源配線２０とグランド配線２２との間に、抵抗５２を電源配線２０側として、抵抗５２とバイポーラトランジスタ５４が直列に接続されている。そして、バイポーラトランジスタ５４のベースは、論理回路部２８の出力端子と接続され、コレクタは抵抗５２と接続されており、エミッタはグランド配線２２と電気的に接続されている。
【００３０】
また、電源配線２０とグランド配線２２との間に、抵抗５８をグランド配線２２側として、バイポーラトランジスタ５６と抵抗５８が直列に接続されている。バイポーラトランジスタ５６のベースは、抵抗５２及びバイポーラトランジスタ５４の接続点と接続され、コレクタは抵抗５８と接続されており、エミッタは電源配線２０と電気的に接続されている。
【００３１】
このため、論理回路部２８からハイレベル「１」の信号が出力されると、バイポーラトランジスタ５４はオン状態となり、これにともなって、バイポーラトランジスタ５６もオン状態となる。そして、スイッチング素子６０もオン状態となる。一方、論理回路部２８からローレベル「０」の信号が出力されると、バイポーラトランジスタ５４はオフ状態となり、これにともなって、バイポーラトランジスタ５６もオフ状態となる。したがって、スイッチング素子６０はオフ状態となる。
【００３２】
ノイズ検出部３２は、所定のインピーダンスを有する抵抗６２と、周波数に応じてインピーダンスが変化するインピーダンス素子が、互いに電位の異なる配線間において直列接続されてなる。異なる配線間としては、特にノイズが重畳しやすい配線を含むことが好ましく、外部接続端子１０に接続された配線の中から選択することができる。
【００３３】
本実施形態では、グランド端子１４に接続されたグランド配線２２と、入力端子１６に接続された入力配線２４との間に、ノイズ検出部３２が設けられている。また、インピーダンス素子として、コンデンサ６４を採用しており、抵抗６２を入力配線２４側として、抵抗６２とコンデンサ６４が直列に接続されている。
【００３４】
ノイズ判定部３４は、抵抗６２とコンデンサ６４の接続点６６の電位に基づいて、ノイズ検出部３２が接続された配線２２，２４の信号にノイズが重畳しているか否かを判定し、判定結果を示す信号を、上記した論理回路部２８に出力する。
【００３５】
本実施形態では、ノイズ判定部３４が、オペアンプ６８、抵抗７０，７２を有している。このオペアンプ６８は、コンパレータとして機能する。オペアンプ６８の反転入力端子は、上記した接続点６６と接続され、非反転入力端子は、電源配線２０とグランド配線２２の間で直列に接続された抵抗７０，７２の接続点と接続されている。そして、オペアンプ６８は、ノイズ検出部３２の接続点６６の電位Ｖ１を、抵抗７０，７２の接続点の電位、すなわち閾値電位Ｖｔｈと比較する。接続点６６の電位Ｖ１が閾値電位Ｖｔｈよりも高い場合、ローレベル「０」の信号を出力し、接続点６６の電位Ｖ１が閾値電位Ｖｔｈよりも低い場合、ハイレベル「１」の信号を出力する。このノイズ判定部３４の出力は、上記したように、論理回路部２８のＮＯＴゲート５０に入力される。
【００３６】
次に、上記した電子回路装置１００において、特徴部分の作用効果を説明する。
【００３７】
図２は、ノイズ検出部３２を構成するコンデンサ６４の周波数特性を示しており、図中の破線は、入力端子１６から入力される入力信号がハイレベルの信号とされた状態で、接続点６６の電位Ｖ１が閾値電圧Ｖｔｈと等しくなるインピーダンスを示している。図２に示すように、コンデンサ６４に印加される信号の周波数が、破線との交点ｆ１，ｆ２間の周波数となると、交点ｆ１より低周波、交点ｆ２よりも高周波に較べて、コンデンサ６４のインピーダンスが低くなる。
【００３８】
図３は、入力端子１６から入力される入力信号、グランド端子１４から入力されるグランド信号（ＧＮＤ）、接続点６６の電位Ｖ１と閾値電圧Ｖｔｈ、ノイズ判定部３４から出力されるノイズ判定信号、出力回路部３０から出力される出力信号、のタイミングチャートを示している。なお、グランド信号に対して縦線（実線）が交差する部分が、ノイズ重畳の期間である。
【００３９】
入力信号がハイレベルの信号の状態で、例えば図１に示すように、グランド端子１４に接続されたハーネス７４に電磁界が照射され、グランド配線２２を流れる信号に、交点ｆ１〜ｆ２の範囲内の周波数を有するノイズが重畳するとする。すると、ノイズ重畳前に較べてコンデンサ６４のインピーダンスが低下し、接続点６６の電位Ｖ１も低下する。そして、接続点６６の電位Ｖ１が閾値電位Ｖｔｈよりも低くなり、入力信号がハイレベルの信号にもかかわらず、ノイズ判定部３４からハイレベル「１」の信号が出力され、出力回路部３０から出力信号としてローレベル「０」の信号が出力される。
【００４０】
図３では、入力信号がハイレベルの信号とされる期間の一部のみにおいて、接続点６６の電位Ｖ１が閾値電位Ｖｔｈよりも低くなり、スイッチング素子６０がオフ状態となって、出力回路部３０からローレベル「０」の信号が出力される。また、入力信号がハイレベルの信号とされ、且つ、電位Ｖ１が閾値電位Ｖｔｈよりも高い期間では、スイッチング素子６０がオン状態となり、出力回路部３０からハイレベル「１」の信号が出力される。なお、入力信号がローレベルの信号の期間は、上記した論理回路部２８の構成により、スイッチング素子６０がオフ状態となって、出力回路部３０からローレベル「０」の信号が出力される。
【００４１】
このように本実施形態では、ノイズ検出部３２が接続された配線２２，２４の信号に、外部接続端子１０を介してノイズが重畳すると、重畳したノイズの周波数に応じて、インピーダンス素子であるコンデンサ６４のインピーダンスが変化する。そして、ノイズ判定部３４により、ノイズが重畳していると判定することができる。そして、論理回路部２８は、ノイズ判定部３４の判定結果に基づいて、所定処理を実行することができる。このように、本実施形態によれば、電磁界の向きによらず、ノイズによる誤動作を抑制することができる。
【００４２】
また、従来のように、電磁誘導作用によるノイズ検出用のコイルを必要としないので、従来よりも体格を小型化することができる。
【００４３】
また、本実施形態では、インピーダンス素子としてコンデンサ６４を採用する。このため、他のインピーダンス素子に較べて、コストを低減でき、体格も小型化することができる。また、周波数特性のラインナップが多彩であり、ノイズの周波数に合うものを選択しやすいという利点もある。
【００４４】
なお、重畳するノイズの周波数が予め分かっている場合には、該ノイズの周波数が、上記した破線との交点ｆ１，ｆ２間の周波数となるような周波数特性を有するコンデンサ６４を採用すると良い。
【００４５】
また、図２に示すコンデンサ６４の自己共振周波数が、ノイズの周波数よりも高くなるようなコンデンサ６４を採用すると良い。周知のように、自己共振周波数よりも低周波側は、コンデンサとしての機能が支配的な領域であり、自己共振周波数を超えると、インダクタの性質を示してインピーダンスが増していく。したがって、自己共振周波数よりも周波数の低い領域、すなわちコンデンサとしての機能が支配的な領域、でノイズを検出するようにすると、より精度良くノイズを検出することができる。
【００４６】
（第１変形例）
ノイズ検出部３２を構成するインピーダンス素子としては、図４に示すように、インダクタ７６を採用することもできる。
【００４７】
図５は、インダクタ７６の周波数特性を示している。図中の破線は、入力端子１６から入力される入力信号がハイレベルの信号とされた状態で、接続点６６の電位Ｖ１が閾値電圧Ｖｔｈと等しくなるインピーダンスを示している。図５に示すように、インダクタ７６に印加される信号の周波数が、破線との交点ｆ１，ｆ２間の周波数となると、交点ｆ１より低周波、交点ｆ２よりも高周波に較べて、インピーダンスが高くなる。これにより、接続点６６の電位Ｖ１は、閾値電圧Ｖｔｈよりも高くなる。一方、インダクタ７６に印加される信号の周波数が、交点ｆ１より低周波または交点ｆ２よりも高周波となると、接続点６６の電位Ｖ１は、閾値電圧Ｖｔｈよりも低くなる。このため、インダクタ７６を採用する場合には、例えば上記した電子回路装置１００のノイズ判定部３４に対し、オペアンプ６８の出力側にＮＯＴゲートを追加すると良い。これにより、交点ｆ１，ｆ２間の周波数のノイズが重畳した場合に、ノイズ判定部３４からハイレベル「１」の信号が出力されることとなる。
【００４８】
なお、インピーダンス素子としてインダクタ７６を採用すると、後述するダイオード７８に較べて、コストを低減でき、体格も小型化することができる。また、ダイオード７８に較べて、周波数特性のラインナップが多彩であり、ノイズの周波数に合うものを選択しやすいという利点もある。
【００４９】
また、インダクタ７６についても、自己共振周波数がノイズの周波数よりも高いものを採用すると良い。周知のように、自己共振周波数よりも低周波側は、インダクタとしての機能が支配的な領域であり、自己共振周波数を超えると、コンデンサの性質を示してインピーダンスが増していく。したがって、自己共振周波数よりも周波数の低い領域、すなわちコンデンサとしての機能が支配的な領域、でノイズを検出するようにすると、より精度良くノイズを検出することができる。
【００５０】
（第２変形例）
ノイズ検出部３２を構成するインピーダンス素子としては、図６に示すように、ダイオード７８を採用することもできる。図６では、ダイオード７８のアノードが抵抗６２に接続され、カソードがグランド配線２２に電気的に接続されている。
【００５１】
図７は、ダイオード７８の周波数特性を示している。図中の破線は、入力端子１６から入力される入力信号がハイレベルの信号とされた状態で、接続点６６の電位Ｖ１が閾値電圧Ｖｔｈと等しくなるインピーダンスを示している。図７に示すように、ダイオード７８に印加される信号の周波数が、破線との交点ｆ１よりも高い周波数となると、交点ｆ１より低周波に較べて、インピーダンスが低くなる。これにより、接続点６６の電位Ｖ１は、破線よりも低くなり、閾値電圧Ｖｔｈよりも低くなる。したがって、入力信号がＨｉ信号にもかかわらず、ノイズ判定部３４からハイレベル「１」の信号が出力される。一方、ダイオード７８に印加される信号の周波数が、交点ｆ１より低周波となると、接続点６６の電位Ｖ１は、破線よりも高くなり、閾値電圧Ｖｔｈよりも高くなる。したがって、ノイズ判定部３４からローレベル「０」の信号が出力される。
【００５２】
（第２実施形態）
本実施形態において、上記実施形態に示した電子回路装置１００と共通する部分についての説明は割愛する。
【００５３】
本実施形態の特徴は、同一種類であって自己共振周波数が互いに異なる複数の素子が並列接続されて、上記インピーダンス素子が構成されることにある。一例と示す図８では、インピーダンス素子がコンデンサ６４であり、このコンデンサ６４は、自己共振周波数が互いに異なる複数のコンデンサ６４ａ，６４ｂが並列接続されてなる。
【００５４】
これにように、２つのコンデンサ６４ａ，６４ｂを並列接続してなるコンデンサ６４では、図９に一点鎖線で示すような周波数特性を示す。なお、図９中のＣ１は、コンデンサ６４ａの周波数特性を示し、Ｃ２はコンデンサ６４ｂの周波数特性を示している。図９に示すように、自己共振周波数の異なるコンデンサ６４ａ，６４ｂを用いたほうが、交点ｆ１，ｆ２間の周波数、すなわちノイズ検出範囲、を広くすることができる。これにより、周波数の異なる多様なノイズを検出することができる。
【００５５】
なお、自己共振周波数が互いに異なる複数のインダクタが並列接続されてなるインダクタ７６を採用した場合も、同様の効果を奏することができる。
【００５６】
（第３実施形態）
本実施形態において、上記実施形態に示した電子回路装置１００と共通する部分についての説明は割愛する。
【００５７】
本実施形態に係る電子回路装置１００は、図１０に示すように、物理量検出部としての温度センサ３６と、該温度センサ３６の検出信号に基づいて、異常が生じているか否かを判定し、判定結果を示す信号を出力する異常判定部３８をさらに備えている。そして、論理回路部２８が、入力回路部２６の出力、ノイズ判定部３４の出力だけでなく、異常判定部３８による判定結果を加味して所定処理を実行する点を特徴とする。論理回路部２８は、異常判定部３８により異常が生じていると判定され、且つ、ノイズ判定部３４によりノイズが重畳していないと判定された場合に、異常時の処理を実行する。一方、異常判定部３８により異常が生じていると判定され、且つ、ノイズ判定部３４によりノイズが重畳していると判定された場合に、正常時の処理を実行する。
【００５８】
具体的には、図１１に示すように、温度センサ３６は、例えばパワー用のスイッチング素子６０と同じ半導体チップ８０に形成されている。そして、温度センサ３６は、半導体チップ８０の温度が所定温度以上となるとスイッチング素子６０をオフするために、温度モニタとして機能する。図１１では温度センサ３６としてダイオードを採用しており、ダイオードのアノードが、異常判定部３８を構成するコンパレータ８２の入力端子の一方と接続されている。また、アノードとコンパレータ８２を繋ぐ配線と電源配線２０と間には、定電流源８４が接続されている。一方、ダイオードのカソードは、グランド配線２２と電気的に接続されている。また、コンパレータ８２の入力端子の他方には、定電圧源８６が接続されている。
【００５９】
したがって、定電流源８４により、温度センサ３６であるダイオードに所定の電流を印加することができる。そして、定電流の印加状態で、コンパレータ８２により、ダイオードの順方向電圧Ｖｆを定電圧源８６の閾値電圧と比較することができる。順方向電圧Ｖｆは負の温度特性を有するため、半導体チップ８０の温度が所定温度以上となると、順方向電圧Ｖｆが閾値電圧よりも低くなり、コンパレータ８２からハイレベル「１」の信号が出力される。一方、半導体チップ８０の温度が所定温度未満の場合、順方向電圧Ｖｆが閾値電圧よりも高いため、コンパレータ８２からローレベル「０」の信号が出力される。すなわち、異常判定部３８は、温度異常時にハイレベル「１」の信号を出力し、正常時にはローレベル「０」の信号を出力する。
【００６０】
また、温度センサ３６であるダイオードが接続されている配線、例えばグランド配線２２にノイズが重畳すると、順方向電圧Ｖｆが低下する。
【００６１】
論理回路部２８は、ＮＯＴゲート８８、ＮＯＲゲート９０、ＮＯＴゲート９２、ＮＡＮＤゲート９４、及びＮＯＴゲート９６を有している。上記した異常判定部３８、すなわちコンパレータ８２の出力は、ＮＯＴゲート８８を介してＮＯＲゲート９０に入力される。また、ＮＯＲゲート９０には、ノイズ判定部３４、すなわちオペアンプ６８の出力も入力される。ＮＯＲゲート９０は、入力がともにローレベル「０」の信号の場合に、ハイレベル「１」の信号を出力する。すなわち、ノイズ判定部３４が、ノイズの重畳がないローレベル「０」の信号を出力し、異常判定部３８が温度異常時を示すハイレベル「１」の信号を出力する場合に、ハイレベル「１」の信号を出力する。それ以外の場合、ＮＯＲゲート９０は、ローレベル「０」の信号を出力する。すなわち、異常判定部３８が温度異常時を示すハイレベル「１」の信号を出力する場合でも、ノイズ判定部３４が、ノイズ重畳を示すハイレベル「１」の信号を出力する場合には、ローレベル「０」の信号を出力する。また、異常判定部３８が正常時を示すローレベル「０」の信号を出力する場合には、ノイズ判定部３４の判定結果によらず、ローレベル「０」の信号を出力する。
【００６２】
ＮＯＲゲート９０の出力は、ＮＯＴゲート９２を介して、ＮＡＮＤゲート９４に入力される。ＮＡＮＤゲート９４には、入力回路部２６の出力も入力される。ＮＡＮＤゲート９４は、入力がともにハイレベル「１」の信号の場合に、ローレベル「０」の信号を出力する。すなわち、入力回路部２６がハイレベル「１」の信号を出力し、ＮＯＲゲート９０がローレベル「０」の信号を出力する場合に、ローレベル「０」の信号を出力する。一方、入力回路部２６がハイレベル「１」の信号を出力し、ＮＯＲゲート９０がハイレベル「１」の信号を出力する場合に、ハイレベル「１」の信号を出力する。また、入力回路部２６がローレベル「０」の信号を出力する場合には、ＮＯＲゲート９０の出力によらずハイレベル「１」の信号を出力する。
【００６３】
そして、ＮＡＮＤゲート９４の出力は、ＮＯＴゲート９６を介して、出力回路部３０、すなわちバイポーラトランジスタ５４のベースに入力される。
【００６４】
次に、上記した電子回路装置１００において、特徴部分の作用効果を説明する。
【００６５】
図１２は、入力端子１６から入力される入力信号、グランド端子１４から入力されるグランド信号（ＧＮＤ）、接続点６６の電位Ｖ１と閾値電圧Ｖｔｈ、ノイズ判定部３４から出力されるノイズ判定信号、異常判定部３８から出力される異常判定信号、出力回路部３０から出力される出力信号、のタイミングチャートを示している。なお、図３同様、グランド信号に対して縦線（実線）が交差する部分が、ノイズ重畳の期間である。
【００６６】
入力信号がハイレベルの信号の状態で、例えば図１０に示すように、グランド端子１４に接続されたハーネス７４に電磁界が照射され、グランド配線２２を流れる信号に、交点ｆ１〜ｆ２の範囲内の周波数を有するノイズが重畳すると、第１実施形態に記載のように、接続点６６の電位Ｖ１が閾値電位Ｖｔｈよりも低くなる。そして、入力信号がハイレベルの信号であっても、電位Ｖ１が閾値電位Ｖｔｈよりも低い期間では、ノイズ判定部３４から、ノイズ判定信号としてハイレベル「１」の信号が出力される。
【００６７】
ここで、図１２に示すように、異常判定部３８は、入力信号がハイレベルの信号であって、電位Ｖ１が閾値電位Ｖｔｈよりも低い期間の一部と、電位Ｖ１が閾値電位Ｖｔｈよりも高い期間の一部とにおいて、温度異常を示すハイレベル「１」の信号を出力するとする。
【００６８】
電位Ｖ１が閾値電位Ｖｔｈよりも低く、温度異常を示すハイレベル「１」の信号が出力されている期間では、上記したようにＮＯＲゲート９０の出力がローレベル「０」の信号となる。したがって、ＮＡＮＤゲート９４への入力がともにハイレベル「１」の信号となり、ＮＡＮＤゲート９４はローレベル「０」の信号を出力する。このため、論理回路部２８から、ハイレベル「１」の信号が出力され、スイッチング素子６０はオン状態となり、出力回路部３０から、ハイレベル「１」の信号が出力される。
【００６９】
一方、電位Ｖ１が閾値電位Ｖｔｈよりも高く、温度異常を示すハイレベル「１」の信号が出力されている期間では、上記したようにＮＯＲゲート９０の出力が、ハイレベル「１」の信号となる。したがって、ＮＯＴゲート９２からＮＡＮＤゲート９４に、ローレベル「０」の信号が入力され、ＮＡＮＤゲート９４はハイレベル「１」の信号を出力する。このため、論理回路部２８から、ローレベル「０」の信号が出力され、スイッチング素子６０はオフ状態となり、出力回路部３０から、ローレベル「０」の信号が出力される。
【００７０】
本実施形態によれば、異常判定部３８が温度異常と判定した場合でもあっても、ノイズ判定部３４がノイズの重畳ありと判定した場合には、ノイズの影響により温度センサ３６の順方向電圧Ｖｆが低下し、異常判定部３８が温度異常と誤判定したものとして、論理回路部２８は、スイッチング素子６０がオン状態となるように処理する。一方、異常判定部３８が温度異常と判定し、且つ、ノイズ判定部３４がノイズの重畳なしと判定した場合には、温度異常が生じているものとして、論理回路部２８は、スイッチング素子６０がオフ状態となるように処理する。このように、ノイズ重畳によって温度センサ３６温度センサ３６の順方向電圧Ｖｆが低下しても、出力回路部３０からのハイレベル「１」の信号の出力を止めないようにすることができる。
【００７１】
以上、本発明の好ましい実施形態について説明したが、本発明は上述した実施形態になんら制限されることなく、本発明の主旨を逸脱しない範囲において、種々変形して実施することが可能である。
【００７２】
ノイズ判定部３４の出力を、電子回路装置１００とは別の制御回路（ＥＣＵ）にダイアグ信号として出力し、この制御回路が、例えば入力端子１６とハーネスを介して接続された回路（例えば駆動信号生成回路）に対して、駆動信号の生成を制御する信号を出力する構成としても、上記実施形態と同様の効果を奏することができる。
【００７３】
ノイズ検出部３２をグランド配線２２と入力配線２４の間に設ける例を示したが、電源配線２０とグランド配線２２の間に設けても良いし、電源配線２０と入力配線２４の間に設けても良い。外部接続端子１０に接続された配線であって、電位が互いに異なる配線間であれば良い。また、処理部として論理回路部２８を示したが、処理部の構成は上記例に限定されるものではない。
【符号の説明】
【００７４】
１０・・・外部接続端子、１２・・・電源端子、１４・・・グランド端子、１６・・・入力端子、１８・・・出力端子、２０・・・電源配線、２２・・・グランド配線、２４・・・入力配線、２６・・・入力回路部、２８・・・論理回路部、３０・・・出力回路部、３２・・・ノイズ検出部、３４・・・ノイズ判定部、３６・・・温度センサ、３８・・・異常判定部、４０，４６，５２，５８，６２，７０，７２・・・抵抗、４２，４４，５４，５６・・・バイポーラトランジスタ、４８・・・ＡＮＤゲート、５０，８８，９２，９６・・・ＮＯＴゲート、６０・・・スイッチング素子、６４，６４ａ，６４ｂ・・・コンデンサ、６６・・・接続点、６８・・・オペアンプ、７４・・・ハーネス、７６・・・インダクタ、７８・・・ダイオード、８０・・・半導体チップ、８２・・・コンパレータ、８４・・・定電流源、８６・・・定電圧源、９２・・・ＮＯＲゲート、９４・・・ＮＡＮＤゲート、１００・・・電子回路装置、
【図１】
2014135610.tif 000003
【図２】
2014135610.tif 000004
【図３】
2014135610.tif 000005
【図４】
2014135610.tif 000006
【図５】
2014135610.tif 000007
【図６】
2014135610.tif 000008
【図７】
2014135610.tif 000009
【図８】
2014135610.tif 000010
【図９】
2014135610.tif 000011
【図１０】
2014135610.tif 000012
【図１１】
2014135610.tif 000013
【図１２】
2014135610.tif 000014